(57)【要約】【課題】内容物を取り出すときに内容物が落下しにくいブリスターパックを提供する。【解決手段】ブリスターパック１０はシート状の基礎部２１、および、内容物Ｃを収容できるように基礎部２１に形成された凹部２２を含む容器２０と、凹部２２の開口２２Ａを閉じる蓋部３１、および、基礎部２１に接合された接合部３２を含むアルミニウムシート３０と、蓋部３１を容器２０から剥がすことができるように蓋部３１に接合された蓋部被覆部４１を含む剥離用シート４０とを備える。【選択図】図３
2018184186.tif 000002
【特許請求の範囲】
【請求項１】
シート状の基礎部、および、内容物を収容できるように前記基礎部に形成された凹部を含む容器と、
前記凹部の開口を閉じる蓋部、および、前記基礎部に接合された接合部を含むアルミニウムシートと、
前記蓋部を前記容器から剥がすことができるように前記蓋部に接合された蓋部被覆部を含む剥離用シートとを備える
ブリスターパック。
【請求項２】
前記剥離用シートは前記接合部上に設けられた接合部被覆部を含み、
前記接合部被覆部は前記蓋部被覆部と繋がっている
請求項１に記載のブリスターパック。
【請求項３】
前記接合部被覆部は前記蓋部を前記容器から剥がす場合に摘むことができるように構成されたタブを含む
請求項２に記載のブリスターパック。
【請求項４】
前記タブは前記接合部に接合されていない、または、前記蓋部と前記蓋部被覆部とを接合する力よりも弱い力で接合されている
請求項３に記載のブリスターパック。
【請求項５】
前記接合部被覆部は前記基礎部のうちの前記凹部の周囲の部分に接合された周囲接合部を含み、
前記タブは前記周囲接合部における前記アルミニウムシートの縁側の部分と繋がっている
請求項３または４に記載のブリスターパック。
【請求項６】
前記周囲接合部と前記凹部の周囲の部分とを接合する力は前記蓋部被覆部と前記蓋部とを接合する力よりも弱い
請求項５に記載のブリスターパック。
【請求項７】
前記蓋部被覆部にスリットまたは孔が形成されている
請求項１〜６のいずれか一項に記載のブリスターパック。
【請求項８】
前記接合部のうちの前記蓋部の周囲の部分、または、前記蓋部にスリットまたは孔が形成されている
請求項１〜７のいずれか一項に記載のブリスターパック。
【請求項９】
前記基礎部と前記接合部との接合形態は溶着であり、
前記剥離用シートと前記蓋部との接合形態は粘着である
請求項１〜８のいずれか一項に記載のブリスターパック。
【発明の詳細な説明】
【技術分野】
【０００１】
本発明はブリスターパックに関する。
【背景技術】
【０００２】
医薬品の錠剤およびカプセル剤等を収容するブリスターパックが知られている。特許文献１は従来のブリスターパックの一例を開示している。このブリスターパックは特許文献１の図１等に示されるように、シート状のフィルム(２)、内容物を収容できるようにフィルム(２)に形成されたポケット部(４)、および、ポケット部(４)の開口を閉じるようにフィルム(２)に接合されたアルミニウム箔(３)を備える。このブリスターパックでは、ポケット部(４)の底をアルミニウム箔(３)に向けて押し込むようにポケット部(４)を変形させることにより、薬剤(９)がアルミニウム箔(３)を突き破り薬剤(９)が取り出される。
【先行技術文献】
【特許文献】
【０００３】
【特許文献１】特開２０１６−２０４６８３号公報
【発明の概要】
【発明が解決しようとする課題】
【０００４】
従来のブリスターパックによれば、アルミニウム箔(３)を突き破った薬剤(９)が飛び出し、薬剤(９)が落下するおそれがある。
【課題を解決するための手段】
【０００５】
(１)シート状の基礎部、および、内容物を収容できるように前記基礎部に形成された凹部を含む容器と、前記凹部の開口を閉じる蓋部および前記基礎部に接合された接合部を含むアルミニウムシートと、前記蓋部を前記容器から剥がすことができるように前記蓋部に接合された蓋部被覆部を含む剥離用シートとを備える、ブリスターパック。
蓋部被覆部を介してアルミニウムシートの蓋部を容器から剥がすことにより、内容物が凹部に収容された状態で凹部の開口が開放される。このため、内容物を取り出すときに内容物が落下しにくい。
【０００６】
(２)前記剥離用シートは前記接合部上に設けられた接合部被覆部を含み、前記接合部被覆部は前記蓋部被覆部と繋がっている、(１)に記載のブリスターパック。
接合部被覆部を摘んで蓋部被覆部およびアルミニウムシートの蓋部を容器から剥がすことができるため、容易に凹部の開口を開放することができる。
【０００７】
(３)前記接合部被覆部は前記蓋部を前記容器から剥がす場合に摘むことができるように構成されたタブを含む、(２)に記載のブリスターパック。
タブを含むため、凹部の開口を一層容易に開放することができる。
【０００８】
(４)前記タブは前記接合部に接合されていない、または、前記蓋部と前記蓋部被覆部とを接合する力よりも弱い力で接合されている、(３)に記載のブリスターパック。
このため、タブを一層摘みやすい。
【０００９】
(５)前記接合部被覆部は前記基礎部のうちの前記凹部の周囲の部分に接合された周囲接合部を含み、前記タブは前記周囲接合部における前記アルミニウムシートの縁側の部分と繋がっている、(３)または(４)に記載のブリスターパック。
このため、凹部の開口を一層容易に開放することができる。
【００１０】
(６)前記周囲接合部と前記凹部の周囲の部分とを接合する力は前記蓋部被覆部と前記蓋部とを接合する力よりも弱い、(５)に記載のブリスターパック。
周囲接合部を凹部の周囲の部分から容易に剥がすことができるため、剥離用シートのうちのより広い部分を摘むことができる。このため、凹部の開口を一層容易に開放することができる。
【００１１】
(７)前記蓋部被覆部にスリットまたは孔が形成されている、(１)〜(６)のいずれか一項に記載のブリスターパック。
蓋部被覆部と蓋部とが密着するため、蓋部被覆部と蓋部とが一層強く接合される。
【００１２】
(８)前記接合部のうちの前記蓋部の周囲の部分、または、前記蓋部にスリットまたは孔が形成されている、(１)〜(７)のいずれか一項に記載のブリスターパック。
蓋部と接合部とが分離しやすいため、凹部の開口を一層容易に開放しやすい。
【００１３】
(９)前記基礎部と前記接合部との接合形態は溶着であり、前記剥離用シートと前記蓋部との接合形態は粘着である、(１)〜(８)のいずれか一項に記載のブリスターパック。
このため、ブリスターパックを容易に製造できる。
【発明の効果】
【００１４】
本発明に関するブリスターパックによれば、内容物を取り出すときに内容物が落下しにくい。
【図面の簡単な説明】
【００１５】
【図１】実施形態のブリスターパックの背面図。
【図２】図１のブリスターパックの正面図。
【図３】図２のＤ３−Ｄ３線に沿う断面図。
【図４】図３の剥離用シートの他方の面に塗布される粘着剤の網点率を模式的に示す模式図。
【図５】図３の剥離用シートの剥離が開始されたときの断面図。
【図６】図５の剥離用シートおよびアルミニウムシートが剥離されている最中の断面図。
【発明を実施するための形態】
【００１６】
下記実施形態は本発明に関するブリスターパックが取り得る形態の例示であり、その形態を制限することを意図していない。本発明に関するブリスターパックは実施形態に例示された形態とは異なる形態を取り得る。その一例は、実施形態の構成の一部を置換、変更、または、削除した形態である。
【００１７】
(実施形態)
図１および図２は内容物Ｃを収容した状態のブリスターパック１０の一例を示している。図１はブリスターパック１０の背面図である。図２はブリスターパック１０の正面図である。内容物Ｃの一例は薬品の錠剤またはカプセル剤である。ブリスターパック１０は容器２０、アルミニウムシート３０、および、剥離用シート４０を備えている。
【００１８】
容器２０を構成する材料は内容物Ｃを視認できるような透明または半透明の材料であることが好ましい。容器２０を構成する材料の一例はポリエチレンテレフタレートである。容器２０はシート状の基礎部２１、および、内容物Ｃを収容できるように基礎部２１に形成された凹部２２を備えている。
【００１９】
正面視または背面視における基礎部２１の外郭形状は任意に選択できる。図１および図２に示される例では、基礎部２１の外郭形状は長方形に類似する形状である。基礎部２１に形成される凹部２２の数は１または複数である。図１および図２に示される例では、凹部２２の数は８である。
【００２０】
アルミニウムシート３０は蓋部３１、接合部３２、および、スリット３３を備えている。蓋部３１は凹部２２の開口２２Ａを閉じ、基礎部２１と接合されていない部分である。接合部３２は蓋部３１と繋がり、基礎部２１と接合されている部分である。接合部３２と基礎部２１との接合形態は種々の形態を取り得る。第１例によれば、接合部３２と基礎部２１との接合形態は溶着である。第２例によれば、接合部３２と基礎部２１との接合形態は接着である。第３例によれば、接合部３２と基礎部２１との接合形態は粘着である。
【００２１】
アルミニウムシート３０の層厚さ(以下「厚さＴＡ」)の最大値に関する好ましい一例は３０μｍである。厚さＴＡの最大値に関するより好ましい一例は２０μｍである。厚さＴＡの最小値に関する好ましい一例は６μｍである。なお、厚さＴＡは平坦な状態のアルミニウムシート３０に直交する断面上におけるアルミニウムシート３０の一方の面３０Ａと他方の面３０Ｂとの距離である。
【００２２】
スリット３３は剥離用シート４０を介してアルミニウムシート３０に基礎部２１から剥がそうとする力(以下「分離力」)が作用した場合に、蓋部３１が凹部２２の開口２２Ａを開放しやすいようにアルミニウムシート３０に形成される。アルミニウムシート３０におけるスリット３３が形成される位置は任意の位置から選択できる。第１例によれば、スリット３３は接合部３２のうちの蓋部３１の周囲の部分に形成される。第２例によれば、スリット３３は蓋部３１に形成される。
【００２３】
厚さＴＡに対するスリット３３の深さＨＡの割合(以下「切込率ＰＡ」)は蓋部３１の開口２２Ａの開放のしやすさ(以下「開口２２Ａの開放性」)、および、分離力以外の外力に対するアルミニウムシート３０の強度との関係から決められることが好ましい。切込率ＰＡを求める式は「ＰＡ＝(ＨＡ／ＴＡ)×１００」である。
【００２４】
アルミニウムシート３０の切込率ＰＡの最大値に関する好ましい一例は、１００％である。アルミニウムシート３０の切込率ＰＡの最大値に関するより好ましい一例は、９０％である。アルミニウムシート３０の切込率ＰＡが１００％以下である場合、分離力以外の外力に対するアルミニウムシート３０の強度がより向上する。アルミニウムシート３０の切込率ＰＡが９０％以下である場合、分離力以外の外力に対するアルミニウムシート３０の強度がさらに向上する。アルミニウムシート３０の切込率ＰＡの最小値に関する好ましい一例は、５０％である。アルミニウムシート３０の切込率ＰＡの最小値に関するより好ましい一例は、７５％である。アルミニウムシート３０の切込率ＰＡが５０％以上である場合、開口２２Ａの開放性がより向上する。アルミニウムシート３０の切込率ＰＡが７５％以上である場合、開口２２Ａの開放性がさらに向上する。
【００２５】
図３および図４に示される剥離用シート４０を構成する材料はアルミニウムシート３０と接合できる材料の中から任意に選択できる。剥離用シート４０を構成する材料の一例は単層構造を有する樹脂材料、積層構造を有する樹脂材料、および、紙である。剥離用シート４０とアルミニウムシート３０との接合形態は種々の形態から選択できる。第１例では、剥離用シート４０とアルミニウムシート３０との接合形態は粘着である。第１例で用いられる粘着材の一例は、アクリル系粘着剤またはゴム系粘着剤である。第２例では、剥離用シート４０とアルミニウムシート３０との接合形態は接着である。第２例で用いられる接着剤の一例は、ポリエステル系接着剤である。剥離用シート４０は蓋部被覆部４１および接合部被覆部４２を備えている。
【００２６】
剥離用シート４０の層厚さ(以下「厚さＴＢ」)の最大値に関する好ましい一例は２００μｍである。厚さＴＢの最大値に関するより好ましい一例は１１０μｍである。厚さＴＢの最小値に関する好ましい一例は２０μｍである。厚さＴＢの最小値に関するより好ましい一例は２５μｍである。なお、厚さＴＢは平坦な状態の剥離用シート４０に直交する断面上における剥離用シート４０の一方の面４０Ａと他方の面４０Ｂとの距離である。
【００２７】
蓋部被覆部４１は蓋部３１を容器２０から剥がすことができるように蓋部３１に接合されている。蓋部被覆部４１の中央にはスリット４１Ａ(図２参照)が形成されている。アルミニウムシート３０の蓋部３１は容器２０と接合されていない部分であるため撓みやすい。蓋部３１が撓んでいる場合、蓋部３１と蓋部被覆部４１との間に隙間が形成され、蓋部３１と蓋部被覆部４１との接合が弱くなるおそれがある。このため、蓋部被覆部４１にスリット４１Ａを形成することにより、蓋部被覆部４１と蓋部３１との間の隙間が十分に小さくなる、または、隙間が存在しなくなるため、蓋部３１と蓋部被覆部４１とが密着しやすくなり、蓋部３１と蓋部被覆部４１とを強く接合させることができる。
【００２８】
厚さＴＢに対するスリット４１Ａの深さＨＢの割合(以下「切込率ＰＢ」)は蓋部３１と蓋部被覆部４１との密着のしやすさ、および、分離力以外の外力に対する剥離用シート４０の強度との関係から決められることが好ましい。切込率ＰＢを求める式は「ＰＢ＝(ＨＢ／ＴＢ)×１００」である。
【００２９】
剥離用シート４０の切込率ＰＢの最大値に関する好ましい一例は、１００％である。剥離用シート４０の切込率ＰＢの最大値に関するより好ましい一例は、９０％である。剥離用シート４０の切込率ＰＢが１００％以下である場合、分離力以外の外力に対する剥離用シート４０の強度がより向上する。剥離用シート４０の切込率ＰＢが９０％以下である場合、分離力以外の外力に対する剥離用シート４０の強度がさらに向上する。剥離用シート４０の切込率ＰＢの最小値に関する好ましい一例は、５０％である。剥離用シート４０の切込率ＰＢの最小値に関するより好ましい一例は、７５％である。剥離用シート４０の切込率ＰＢが５０％以上である場合、蓋部３１と蓋部被覆部４１とがより密着する。アルミニウムシート３０の切込率ＰＢが７５％以上である場合、蓋部３１と蓋部被覆部４１とがさらに密着する。
【００３０】
接合部被覆部４２は周囲接合部４２Ａおよびタブ４２Ｂを備えている。周囲接合部４２Ａは接合部３２上に設けられ、接合部３２を介して基礎部２１のうちの凹部２２の周囲の部分と接合されている。タブ４２Ｂは蓋部３１を容器２０から剥がす場合にユーザーが摘むことができるように構成された部分であり、周囲接合部４２Ａにおけるアルミニウムシート３０の縁３０Ｃ側の部分と繋がっている。タブ４２Ｂと接合部３２との関係は種々の形態を取り得る。第１例によれば、タブ４２Ｂは接合部３２と接合されていない。第２例によれば、タブ４２Ｂは蓋部３１と蓋部被覆部４１とを接合する力よりも弱い力で接合部３２と接合されている。
【００３１】
剥離用シート４０とアルミニウムシート３０との接合する力を部分的に異ならせることは、例えば、剥離用シート４０の蓋部被覆部４１、周囲接合部４２Ａ、および、タブ４２Ｂに塗布される粘着剤の網点面積率を調整することにより実現できる。図４は剥離用シート４０の他方の面４０Ｂに塗布される粘着剤の網点面積率を視覚的に把握するための模式図である。図４では、ドットが濃いほど網点面積率が高いことを示し、ドットが存在しない部分には粘着剤が塗布されていないことを示している。すなわち、剥離用シート４０に塗布される粘着剤の網点面積率は蓋部被覆部４１、周囲接合部４２Ａ、および、タブ４２Ｂの順に高い。蓋部被覆部４１の網点面積率の一例は１００％である。周囲接合部４２Ａの網点面積率の一例は５０％である。タブ４２Ｂの網点面積率の一例は０％である。
【００３２】
ブリスターパック１０の作用について説明する。
図５に示されるように、ブリスターパック１０から内容物Ｃが取り出されるとき、ユーザーにより剥離用シート４０のタブ４２Ｂが摘まれ剥離用シート４０の周囲接合部４２Ａが容器２０から剥離される。周囲接合部４２Ａが容器２０から剥離されるとき、典型的にはアルミニウムシート３０の接合部３２は基礎部２１と接合した状態を維持するが、接合部３２が周囲接合部４２Ａとともに基礎部２１から剥離する場合もある。
【００３３】
図６に示されるように、周囲接合部４２Ａの剥離が接合部３２のスリット３３上まで進行したとき、スリット３３を境界としてアルミニウムシート３０の接合部３２が破断し、蓋部３１が蓋部被覆部４１とともに容器２０から剥離され、内容物Ｃが凹部２２に収容された状態で開口２２Ａが開放される。このため、ユーザーが内容物Ｃをブリスターパック１０から取り出すときに内容物Ｃが落下しにくい。また、開口２２Ａの開放前において内容物Ｃが容器２０に収容されているとき、アルミニウムシート３０は剥離用シート４０により覆われているため、ブリスターパック１０の搬送中にピンホールが発生しにくい。また、アルミニウムシート３０と剥離用シート４０との接合している力を調整することにより、握力が弱いユーザーでも容易に内容物を取り出すことができる。さらには、容器２０の開口２２Ａが開放されたとき、破断したアルミニウムシート３０は剥離用シート４０または容器２０の基礎部２１と接合されているため、ユーザーが内容物Ｃと一緒にアルミニウムシート３０を誤飲することが抑制される。
【符号の説明】
【００３４】
１０  ：ブリスターパック
２０  ：容器
２１  ：基礎部
２２  ：凹部
２２Ａ：開口
３０  ：アルミニウムシート
３１  ：蓋部
３２  ：接合部
３３：スリット
４０  ：剥離用シート
４１  ：蓋部被覆部
４１Ａ：スリット
４２  ：接合部被覆部
４２Ａ：周囲接合部
４２Ｂ：タブ
Ｃ    ：内容物
【図１】
2018184186.tif 000003
【図２】
2018184186.tif 000004
【図３】
2018184186.tif 000005
【図４】
2018184186.tif 000006
【図５】
2018184186.tif 000007
【図６】
2018184186.tif 000008